(57)【要約】【課題】正常な動きを不正な動きと誤検知することを除外して、不正な動きを検出できるようにしたエアコンプレッサを提供する。【解決手段】エアコンプレッサ１Ａの動きに応じた信号を出力する加速度センサ９と、加速度センサ９で検出されたエアコンプレッサ１Ａの動きに応じた信号から、エアコンプレッサ１Ａの正常な動きによる信号を除外し、エアコンプレッサ１Ａの不正な動きによる信号を抽出するローパスフィルタ９０と、エアコンプレッサ１Ａの不正な動きを検出すると、報知部８で警報を発生させる制御部７を備える。【選択図】図１
2018168850.tif 000002
【特許請求の範囲】
【請求項１】
気体を圧縮する圧縮手段と、
前記圧縮手段を駆動する駆動手段と、
前記圧縮手段で圧縮される気体を貯蔵する貯蔵手段と、
前記圧縮手段、前記駆動手段及び前記貯蔵手段を有した本体部の動きを検出し、前記本体部の動きに応じた信号を出力する検出手段と、
前記検出手段で検出された前記本体部の動きに応じた信号から、前記本体部の不正な動きによる信号を抽出する抽出手段と、
前記本体部の不正な動きを検出すると、報知手段で警報を発生させる制御手段と
を備えたことを特徴とするエアコンプレッサ。
【請求項２】
前記制御手段は、前記検出手段で検出され、前記抽出手段で処理された信号を、定められたサンプリング間隔で取得し、定められたサンプリング間隔で取得した信号の変化量から、前記本体部の不正な動きの有無を検出する
ことを特徴とする請求項１に記載のエアコンプレッサ。
【請求項３】
前記検出手段は加速度センサであり、前記抽出手段は、前記検出手段で検出された前記本体部の動きに応じた信号から、前記本体部の正常な動きによる信号を除外するローパスフィルタである
ことを特徴とする請求項１または請求項２に記載のエアコンプレッサ。
【請求項４】
前記報知手段は、音を出力し、
前記制御手段は、前記本体部の不正な動きを検出すると、前記報知手段で発生させる音の音量を、他の通知時の音量より大きくする
ことを特徴とする請求項１〜請求項３の何れか１項に記載のエアコンプレッサ。
【請求項５】
前記制御手段は、前記検出手段で検出された前記本体部の動きに応じた信号から不正の有無を判断するセキュリティモードを実行する
ことを特徴とする請求項１〜請求項４の何れか１項に記載のエアコンプレッサ。
【請求項６】
セキュリティモードの実行の有無を選択する操作手段を備え、
前記制御手段は、前記操作手段でセキュリティモードの実行が選択されるとセキュリティモードを実行する
ことを特徴とする請求項５に記載のエアコンプレッサ。
【請求項７】
気体を圧縮する圧縮手段と、
前記圧縮手段を駆動する駆動手段と、
前記圧縮手段で圧縮される気体を貯蔵する貯蔵手段と、
前記圧縮手段、前記駆動手段及び前記貯蔵手段を有した本体部の動きを検出し、前記本体部の動きに応じた信号を出力する検出手段と、
前記検出手段で検出された前記本体部の動きに応じた信号から不正の有無を判断するセキュリティモードの実行の有無を選択する操作手段と、
前記操作手段での選択に従いセキュリティモードを実行し、前記本体部の不正な動きを検出すると、報知手段で警報を発生させる制御手段と
を備えたことを特徴とするエアコンプレッサ。
【請求項８】
前記駆動手段を駆動する駆動制御手段に供給される電気の供給の有無を検出する電源検出手段を備え、
前記制御手段は、前記電源検出手段で電源の遮断を検出するとセキュリティモードを実行する
ことを特徴とする請求項５〜請求項７の何れか１項に記載のエアコンプレッサ。
【請求項９】
気体を圧縮する圧縮手段と、
前記圧縮手段を駆動する駆動手段と、
前記圧縮手段で圧縮される気体を貯蔵する貯蔵手段と、
前記圧縮手段、前記駆動手段及び前記貯蔵手段を有した本体部の動きを検出し、前記本体部の動きに応じた信号を出力する検出手段と、
前記駆動手段を駆動する駆動制御手段に供給される電気の供給の有無を検出する電源検出手段と、
前記検出手段で検出された前記本体部の動きに応じた信号から不正の有無を判断し、前記本体部の不正な動きを検出すると、報知手段で警報を発生させる制御手段とを備え、
前記制御手段は、前記電源検出手段で電源の遮断を検出すると、前記検出手段で検出された前記本体部の動きに応じた信号から不正の有無を判断するセキュリティモードを実行する
ことを特徴とするエアコンプレッサ。
【請求項１０】
前記制御手段に電気を供給する監視電力供給手段を備え、
前記制御手段は、前記電源検出手段で電源の遮断を検出すると、前記監視電力供給手段から供給される電気で作動してセキュリティモードを実行する
ことを特徴とする請求項８または請求項９に記載のエアコンプレッサ。
【請求項１１】
気体を圧縮する圧縮手段と、
前記圧縮手段を駆動する駆動手段と、
前記圧縮手段で圧縮される気体を貯蔵する貯蔵手段と、
前記圧縮手段、前記駆動手段及び前記貯蔵手段を有した本体部の動きを検出し、前記本体部の動きに応じた信号を出力する検出手段と、
前記本体部の不正な動きを検出すると、報知手段で警報を発生させる制御手段と、
前記検出手段、前記報知手段及び前記制御手段が実装された基板と、
前記本体部の少なくとも一部を覆うカバーとを備え、
前記基板が前記カバーに取り付けられる
ことを特徴とするエアコンプレッサ。
【請求項１２】
前記検出手段で検出された前記本体部の動きに応じた信号から、前記本体部の正常な動きによる信号を除外し、前記本体部の不正な動きによる信号を抽出する抽出手段を前記基板に備えた
ことを特徴とする請求項１１に記載のエアコンプレッサ。
【請求項１３】
気体を圧縮する圧縮手段と、
前記圧縮手段を駆動する駆動手段と、
前記圧縮手段で圧縮される気体を貯蔵する貯蔵手段と、
前記駆動手段を駆動する駆動制御手段に供給される電気の供給の有無を検出する電源検出手段と、
前記電源検出手段で電源の遮断を検出すると、報知手段で警報を発生させる制御手段と
を備えたことを特徴とするエアコンプレッサ。
【請求項１４】
前記報知手段は、音を出力し、
前記制御手段は、前記電源検出手段で電源の遮断を検出すると、前記報知手段で発生させる音を、他の通知時の音と異ならせる
ことを特徴とする請求項１３に記載のエアコンプレッサ。
【請求項１５】
前記制御手段は、前記電源検出手段で電源の遮断を検出したことを外部端末に送信し、前記外部端末で警報を発生させる
ことを特徴とする請求項１３または請求項１４に記載のエアコンプレッサ。
【請求項１６】
前記制御手段は、前記電源検出手段で検出される電気の供給の有無に応じて前記報知手段で警報を発生させるセキュリティモードを備える
ことを特徴とする請求項１３〜請求項１５の何れか１項に記載のエアコンプレッサ。
【請求項１７】
セキュリティモードの実行の有無を選択する操作手段を備え、
前記制御手段は、前記操作手段でセキュリティモードの実行が選択されるとセキュリティモードを実行する
ことを特徴とする請求項１６に記載のエアコンプレッサ。
【請求項１８】
気体を圧縮する圧縮手段と、
前記圧縮手段を駆動する駆動手段と、
前記圧縮手段で圧縮される気体を貯蔵する貯蔵手段と、
前記駆動手段を駆動する駆動制御手段に供給される電気の供給の有無を検出する電源検出手段と、
前記電源検出手段で検出される電気の供給の有無に応じて報知手段で警報を発生させるセキュリティモードの実行の有無を選択する操作手段と、
前記操作手段での選択に従いセキュリティモードを実行し、前記電源検出手段で電源の遮断を検出すると、前記報知手段で警報を発生させる制御手段と
を備えたことを特徴とするエアコンプレッサ。
【請求項１９】
前記制御手段に電気を供給する監視電力供給手段を備え、
前記制御手段は、前記電源検出手段で電源の遮断を検出すると、前記監視電力供給手段から供給される電気で作動してセキュリティモードを実行する
ことを特徴とする請求項１８に記載のエアコンプレッサ。
【発明の詳細な説明】
【技術分野】
【０００１】
本発明は、圧縮された空気で作動する工具に供給される圧縮空気を貯蔵するエアコンプレッサに関する。
【背景技術】
【０００２】
エアコンプレッサは、くぎ打ち機等の圧縮空気で作動する工具への圧縮空気の供給手段として作業現場で広く使用されている。建設現場等で使用されるエアコンプレッサは、一般に１０ｋｇ〜２０ｋｇ程度の重量があるため、随時携帯して使用されるものではなく、適宜な場所に置いて使用される。
【０００３】
このため、作業者がエアコンプレッサの近くに居ない場合が多く、盗難が発生しやすくなっている。
【０００４】
そこで、エアコンプレッサ本体に振動センサ、加速度センサ等のセンサユニットを備え、エアコンプレッサの不正移動を検出できるようにした技術が提案されている（例えば、特許文献１参照）。
【先行技術文献】
【特許文献】
【０００５】
【特許文献１】特開２００３−２１４３４７号公報
【発明の概要】
【発明が解決しようとする課題】
【０００６】
しかし、振動センサ、加速度センサ等で検出されるエアコンプレッサの動きよる信号には、通常の使用におけるエアコンプレッサの動きよる信号も含まれ、正常な動きを不正と誤検出する可能性があった。
【０００７】
本発明は、このような課題を解決するためなされたもので、正常な動きを不正な動きと誤検知することを除外して、不正な動きを検出できるようにしたエアコンプレッサを提供することを目的とする。
【課題を解決するための手段】
【０００８】
上述した課題を解決するため、本発明は、気体を圧縮する圧縮手段と、圧縮手段を駆動する駆動手段と、圧縮手段で圧縮される気体を貯蔵する貯蔵手段と、圧縮手段、駆動手段及び貯蔵手段を有した本体部の動きを検出し、本体部の動きに応じた信号を出力する検出手段と、検出手段で検出された本体部の動きに応じた信号から、本体部の正常な動きによる信号を除外し、本体部の不正な動きによる信号を抽出する抽出手段と、本体部の不正な動きを検出すると、報知手段で警報を発生させる制御手段とを備えたエアコンプレッサである。
【０００９】
本発明では、エアコンプレッサの動きを検出した信号から、正常な動きによる信号が除外され、不正な動きによる信号が抽出される。
【００１０】
また、本発明は、気体を圧縮する圧縮手段と、圧縮手段を駆動する駆動手段と、圧縮手段で圧縮される気体を貯蔵する貯蔵手段と、圧縮手段、駆動手段及び貯蔵手段を有した本体部の動きを検出し、本体部の動きに応じた信号を出力する検出手段と、検出手段で検出された本体部の動きに応じた信号から不正の有無を判断するセキュリティモードの実行の有無を選択する操作手段と、操作手段での選択に従いセキュリティモードを実行し、本体部の不正な動きを検出すると、報知手段で警報を発生させる制御手段とを備えたエアコンプレッサである。
【００１１】
本発明では、セキュリティモードの実行の有無の選択に従い、本体部の不正な動きの検出及び警報の発生の有無が切り替えられる。
【００１２】
更に、本発明は、気体を圧縮する圧縮手段と、圧縮手段を駆動する駆動手段と、圧縮手段で圧縮される気体を貯蔵する貯蔵手段と、圧縮手段、駆動手段及び貯蔵手段を有した本体部の動きを検出し、本体部の動きに応じた信号を出力する検出手段と、駆動手段を駆動する駆動制御手段に供給される電気の供給の有無を検出する電源検出手段と、検出手段で検出された本体部の動きに応じた信号から不正の有無を判断し、本体部の不正な動きを検出すると、報知手段で警報を発生させる制御手段とを備え、制御手段は、電源検出手段で電源の遮断を検出すると、検出手段で検出された本体部の動きに応じた信号から不正の有無を判断するセキュリティモードを実行するエアコンプレッサである。
【００１３】
本発明では、電源の供給の有無でセキュリティモードの実行の有無が選択され、セキュリティモードの実行の有無の選択に従い、本体部の不正な動きの検出及び警報の発生の有無が切り替えられる。
【００１４】
また、本発明は、気体を圧縮する圧縮手段と、圧縮手段を駆動する駆動手段と、圧縮手段で圧縮される気体を貯蔵する貯蔵手段と、圧縮手段、駆動手段及び貯蔵手段を有した本体部の動きを検出し、本体部の動きに応じた信号を出力する検出手段と、本体部の不正な動きを検出すると、報知手段で警報を発生させる制御手段と、検出手段、報知手段及び制御手段が実装された基板と、本体部の少なくとも一部を覆うカバーとを備え、基板がカバーに取り付けられるエアコンプレッサである。
【００１５】
本発明では、通常の運転で発生する振動が、検出手段が実装された基板に伝達されることが抑制される。
【００１６】
更に、本発明は、気体を圧縮する圧縮手段と、圧縮手段を駆動する駆動手段と、圧縮手段で圧縮される気体を貯蔵する貯蔵手段と、駆動手段を駆動する駆動制御手段に供給される電気の供給の有無を検出する電源検出手段と、電源検出手段で電源の遮断を検出すると、報知手段で警報を発生させる制御手段とを備えたエアコンプレッサである。
【００１７】
本発明では、電源の遮断が検出されると警報が発生され、正常な動きを不正な動きと誤検知することを抑制して、不正につながる行為を報知可能となる。
【００１８】
また、本発明は、気体を圧縮する圧縮手段と、圧縮手段を駆動する駆動手段と、圧縮手段で圧縮される気体を貯蔵する貯蔵手段と、駆動手段を駆動する駆動制御手段に供給される電気の供給の有無を検出する電源検出手段と、電源検出手段で検出される電気の供給の有無に応じて報知手段で警報を発生させるセキュリティモードの実行の有無を選択する操作手段と、操作手段での選択に従いセキュリティモードを実行し、電源検出手段で電源の遮断を検出すると、報知手段で警報を発生させる制御手段とを備えたエアコンプレッサである。
【００１９】
本発明では、セキュリティモードの実行の有無の選択に従い、電源の遮断の検出による警報の発生の有無が切り替えられる。
【発明の効果】
【００２０】
本発明では、正常な動きを不正な動きと誤検知することを除外して、盗難等につながる不正な動きを確実に検出できる。また、電源の遮断の検出により、正常な動きを不正な動きと誤検知することを抑制して、盗難等につながる不正な行為を確実に検出し、これを報知することができる。
【図面の簡単な説明】
【００２１】
【図１】本実施の形態のエアコンプレッサの制御系の一例を示す機能ブロック図である。
【図２】本実施の形態のエアコンプレッサの一例を示す一部破断斜視図である。
【図３】操作部の一例を示す説明図である。
【図４】セキュリティモードの一例を示すフローチャートである。
【図５】エアコンプレッサを持ち上げて置く動作における加速度センサの出力の一例を示す説明図である。
【図６】エアコンプレッサを持ち歩く動作における加速度センサの出力の一例を示す説明図である。
【図７】エアコンプレッサの空気取出口にホースを着脱する動作における加速度センサの出力の一例を示す説明図である。
【図８】エアコンプレッサの動きに応じて加速度センサから出力される信号から、不正の有無を検出する動作を示す説明図である。
【図９】セキュリティモードを設定する動作の一例を示すフローチャートである。
【図１０】セキュリティモードを解除する動作の一例を示すフローチャートである。
【図１１】第２の実施の形態のエアコンプレッサの制御系の一例を示す機能ブロック図である。
【図１２】セキュリティモードの他の例を示すフローチャートである。
【発明を実施するための形態】
【００２２】
以下、図面を参照して、本発明のエアコンプレッサの実施の形態について説明する。
【００２３】
＜本実施の形態のエアコンプレッサの構成例＞
図１は、本実施の形態のエアコンプレッサの制御系の一例を示す機能ブロック図、図２は、本実施の形態のエアコンプレッサの一例を示す一部破断斜視図である。
【００２４】
本実施の形態のエアコンプレッサ１Ａは、図２に示すように、気体の一例である空気を圧縮する圧縮部２と、圧縮部２を駆動するモータ３と、圧縮部２で圧縮される空気を貯蔵する少なくとも１つのタンク４を備える。エアコンプレッサ１Ａは、圧縮部２、モータ３及びタンク４を備えて本体部５が構成される。
【００２５】
圧縮部２は圧縮手段の一例で、本例では図示しないピストンの往復運動によりシリンダ容積を変化させることで空気を圧縮するレシプロ圧縮機と称される構成である。圧縮部２は、図示しない吸気口とタンク４とを接続し、吸気口から空気を吸い込み、吸い込んだ空気をタンク４に圧送して、タンク４内に圧縮された空気を貯蔵する。
【００２６】
モータ３は駆動手段の一例で、電気の供給を受けて駆動される。圧縮部２は、モータ３の駆動及び停止、回転数の制御により、タンク４内の圧力を制御する。
【００２７】
タンク４は貯蔵手段の一例で、空気取出口４０が減圧弁４０ａを介して接続される。空気取出口４０は、圧縮空気で作動する工具に接続されたホースが着脱可能に接続される。エアコンプレッサ１Ａは、空気取出口４０にホースが接続されていない状態では、図示しないバルブが閉じている。これに対し、空気取出口４０にホースが接続されることで、図示しないバルブが開き、タンク４に貯蔵された圧縮空気が工具に供給される。
【００２８】
エアコンプレッサ１Ａの本体部５は、金属等で構成される支持体５０に本例では２本のタンク４が取り付けられ、支持体５０を介してタンク４の上側に圧縮部２及びモータ３が取り付けられる。
【００２９】
エアコンプレッサ１Ａは、圧縮部２及びモータ３を覆う形状で、本体部５の上部を覆うカバー５１を備える。カバー５１は例えば樹脂で構成され、タンク４に設けられた受け部４１にネジ４２により取り付けられる。
【００３０】
エアコンプレッサ１Ａは、電源のＯＮ、ＯＦＦ、動作モードの選択等の各種操作、タンク４内の圧力値の表示等、各種情報の出力が行われる操作部６を備える。操作部６は操作手段の一例で、カバー５１の上面に設けられる。
【００３１】
図３は、操作部の一例を示す説明図である。操作部６は、電源のＯＮ、ＯＦＦを選択する電源ボタン６０ａと、動作モードとして運転モードを選択する運転モード選択ボタン６０ｂと、動作モードとしてセキュリティモードの実行の有無を選択するセキュリティモード選択ボタン６０ｃを備える。
【００３２】
また、操作部６は、電源のＯＮ、ＯＦＦの状態を示す電源ランプ６１ａと、選択された運転モードを示す運転モード選択ランプ６１ｂと、セキュリティモードの選択の有無を示すセキュリティモード選択ランプ６１ｃと、タンク４内の圧力値等を表示する表示部６１ｄを備える。
【００３３】
次に、本実施の形態のエアコンプレッサ１Ａの制御機能について説明する。エアコンプレッサ１Ａは、図１に示すように、操作部６での操作、設定に従い、選択された運転モードの実行、セキュリティモードの実行を行う制御部７と、選択された運転モードに従い、モータ３を駆動する駆動制御部７５を備える。制御部７は制御手段の一例で、マイクロプロセッサ等で構成される。駆動制御部７５は駆動制御手段の一例で、マイクロプロセッサ、メモリ等で構成される。
【００３４】
エアコンプレッサ１Ａは、電源検出部７０と、制御部７を作動させる補助電源７１を備える。エアコンプレッサ１Ａは、商用電源、発電機等と電源プラグ及びコードを介して接続され、電気の供給を受ける。電源検出部７０は電源検出手段の一例で、電源プラグがコンセントから抜かれる等により、電源が遮断されたことを検出する。
【００３５】
補助電源７１は監視電力供給手段の一例で、例えば２重層コンデンサで構成され、電源プラグがコンセントに接続された状態では、電気の供給を受けて充電される。電源プラグがコンセントから抜かれる等により、電気の供給が遮断された状態になると、駆動制御部７５への電気の供給が遮断され、制御部７のみを作動させる電気を供給することで電気の消費を抑制し、補助電源７１の長時間使用を可能にする。エアコンプレッサ１Ａを持ち出す際には、電源プラグをコンセントから抜かなければならないため、セキュリティモードは補助電源によって作動するように構成される。
【００３６】
セキュリティモードは、操作部６での操作で実行の有無が選択される。また、操作手段として機械的な鍵を備え、鍵の操作でセキュリティモード実行の有無が選択されても良い。更に、電源検出部７０での電気の供給の有無でセキュリティモード実行の有無が選択されても良く、制御部７は、電源プラグがコンセントに接続され、電気の供給が行われていることを電源検出部７０で検出すると、セキュリティモードを非実行とし、電源プラグがコンセントから抜かれ、電気の供給が遮断されたことを電源検出部７０で検出すると、セキュリティモードを実行する。また、操作部６等の操作手段での操作と、電源検出部７０での電気の供給の有無の検出を組み合わせて、セキュリティモード実行の有無が選択されても良い。
【００３７】
また、エアコンプレッサ１Ａは、音を出力する報知部８と、報知部８で出力される音量を切り替える音量切替部８０を備える。報知部８は報知手段の一例で、例えばビープ音を出力するブザーで構成される。音量切替部８０は、例えば、報知部８に供給する電圧を昇降させる昇圧回路で構成され、報知部８から出力される音量を切り替える。
【００３８】
報知部８は、電源ボタン６０ａの操作時等の通常時は、第１の音量である通常音量でブザー音を出力する。これに対し、報知部８は、制御部７が所定の異常、不正が発生したことを検知して音量切替部８０を制御することで、第１の音量より大きな第２の音量である警報音量でブザー音を出力する。また、不正が発生したことを検知した場合には、報知部８の駆動周波数を変調して、人が不快と感じる音質、または緊急性を感じるような音質でブザー音を出力しても良い。
【００３９】
更に、エアコンプレッサ１Ａは、エアコンプレッサ１Ａの本体部５の動きを検出し、本体部５の動きに応じた信号を出力する加速度センサ９と、加速度センサ９で検出された本体部５の動きに応じた信号から、本体部５の正常な動きによる信号を除外し、本体部５の不正な動きによる信号を抽出するローパスフィルタ（ＬＰＦ）９０を備える。
【００４０】
加速度センサ９は検出手段の一例で、本例では３軸の加速度センサが用いられる。加速度センサ９は、モータ３により圧縮部２が駆動されることで発生する振動、エアコンプレッサ１Ａを移動させること等によるエアコンプレッサ１Ａの本体部５の様々な方向の動きに応じた信号として、加速度の大小に応じて増減する電圧値を出力する。
【００４１】
ローパスフィルタ９０は抽出手段の一例で、エアコンプレッサ１Ａの本体部５の動きに応じて加速度センサ９から出力される信号から、高周波成分を遮断することで、エアコンプレッサ１Ａの通常の使用で想定される正常な動きによる信号を遮断し、盗難等の不正時の動きによる信号を抽出する。
【００４２】
空気を圧縮して貯蔵するというエアコンプレッサ１Ａの運転によって生じる振動、エアコンプレッサ１Ａに人や物がぶつかったときに生じる振動、地震等による設置場所の揺れ、図示しないホースを空気取出口４０に着脱する動作等、エアコンプレッサ１Ａの通常の使用で想定される正常な動きは、エアコンプレッサ１Ａの本体部５の動きに応じて加速度センサ９から出力される信号に、振幅が大きく、かつ、振幅の周期が短い高周波成分として現れる。
【００４３】
これに対し、エアコンプレッサ１Ａを持ち歩く動作等、盗難につながるような動作は、エアコンプレッサ１Ａの本体部５の動きに応じて加速度センサ９から出力される信号に、振幅が大きく、かつ、振幅の周期が長い低周波成分として現れる。
【００４４】
そこで、エアコンプレッサ１Ａの本体部５の動きに応じて加速度センサ９から出力される信号を、ローパスフィルタ９０で処理し、信号中の高周波成分を遮断することで、盗難等の不正時の動きによる信号が抽出される。
【００４５】
制御部７は、上述した操作部６の電源ボタン６０ａ等を構成するスイッチ、電源ランプ６１ａ等を構成するＬＥＤ、表示部６１ｄを構成する７セグメントディスプレイ等が実装される基板７２に実装される。また、補助電源７１、報知部８、音量切替部８０、加速度センサ９及びローパスフィルタ９０が、基板７２に実装される。なお、ローパスフィルタ９０は、ハードウエアで実現しても良いし、ソフトウエアで実現しても良い。また、補助電源７１が制御部７を構成する基板７２に実装されることで、制御部７に対する外部からの電源が遮断された場合でも、補助電源７１から制御部７に電気の供給が継続され、加速度センサ９による不正時の動きの検出が継続される。すなわち、加速度センサ等を備えた制御部と補助電源とを繋ぐ配線の切断によって、セキュリティが作動しないように細工してから持ち出されることを防ぐために、制御部と補助電源とを同じ基板上に配置している。意図的な切断を防ぐように構成することで、セキュリティモードの信頼性を高めている。
【００４６】
基板７２は、操作部６の裏側に設けられ、カバー５１に取り付けられる。カバー５１は、上述したように樹脂で構成され、タンク４に取り付けられることで、モータ３で圧縮部２を駆動することにより発生する振動が伝達されにくい構造である。カバー５１には、特に、高周波振動が伝達されにくい。これにより、加速度センサ９が基板７２に実装されることで、モータ３が圧縮部２を駆動することにより発生する振動が、加速度センサ９に伝達されることが抑制される。駆動制御部７５は、本体部５の支持体５０に取り付けられた図示しない駆動制御基板に実装される。
【００４７】
＜本実施の形態のエアコンプレッサの動作例＞
次に、本実施の形態のエアコンプレッサ１Ａの動作例について、各図を参照して説明する。エアコンプレッサ１Ａで圧縮空気を貯蔵する通常の動作では、制御部７は、電源ボタン６０ａの操作で電源をＯＮとし、運転モード選択ボタン６０ｂの操作で設定された運転モードに従いモータ３を制御して、タンク４に圧縮空気を貯蔵する。
【００４８】
タンク４内の圧力が所定値となると、モータ３の駆動を停止する。また、圧縮空気の使用でタンク４内の圧力が低下すると、モータ３を駆動し、タンク４内の圧力を所定の範囲に保つ。
【００４９】
図４は、セキュリティモードの一例を示すフローチャートであり、次に、本実施の形態のエアコンプレッサ１Ａで実行されるセキュリティモードの動作について説明する。
【００５０】
制御部７は、図４のステップＳＡ１で、セキュリティモード選択ボタン６０ｃ等の所定の操作によってセキュリティモードが選択されると、図４のステップＳＡ２で、電源の供給の有無を電源検出部７０で判断する、制御部７は、電源が供給されていると判断すると、図４のステップＳＡ３で、セキュリティモードを待機状態とする。電源が供給されている状態、すなわち、コンセントに電源プラグが接続されている状態は、エアコンプレッサ１Ａを持ち歩く状態ではないため、セキュリティモードを待機状態とする。
【００５１】
制御部７は、電源の供給が停止したと判断すると、セキュリティモードを実行し、図４のステップＳＡ４で、ローパスフィルタ９０によって処理した加速度センサ９の出力を、Ａ／Ｄ変換した値を取得する。
【００５２】
制御部７は、図４のステップＳＡ５で、加速度センサ９の出力値の取得が１回目であるか判断し、１回目であると判断すると、図４のステップＳＡ６で、加速度センサ９の出力値をメモリに保存する。
【００５３】
制御部７は、図４のステップＳＡ７で、加速度センサ９の出力値の取得後、所定のサンプリング周期が経過したか判断する。制御部７は、セキュリティモードの実行中、図４のステップＳＡ８で、セキュリティモード選択ボタン６０ｃ等の所定の操作によってセキュリティモードが解除されたか否か判断する。
【００５４】
制御部７は、セキュリティモードが解除されておらず、かつ、図４のステップＳＡ２で、電源の供給が停止していると判断すると、図４のステップＳＡ４で、ローパスフィルタ９０によって処理した加速度センサ９の出力を、Ａ／Ｄ変換した値を取得する。このように、セキュリティモードの実行中は、所定のサンプリング周期毎に加速度センサ９の出力値が取得される。
【００５５】
制御部７は、図４のステップＳＡ５で、加速度センサ９の出力値の取得が１回目ではないと判断すると、図４のステップＳＡ９で、加速度センサ９の今回の出力値と、メモリに保存された加速度センサ９の前回の出力値を比較する。
【００５６】
制御部７は、定められたサンプリング間隔で取得した信号の変化量として、加速度センサ９の今回の出力値と前回の出力値の差分が、所定値以上であると、盗難につながるような不正な動きであると判断し、図４のステップＳＡ１０で、報知部８を駆動して音を出力する。不正時では、制御部７は、音量切替部８０を制御して、通常音量より大きい警報音量で警報音を出力させる。警報音の出力は、所定時間の経過で停止しても良い。
【００５７】
制御部７は、加速度センサ９の出力値の取得が１回目ではないと判断すると、図４のステップＳＡ６で、加速度センサ９の今回の出力値で前回の出力値を書き換える。
【００５８】
次に、エアコンプレッサ１Ａの本体部５の動きに応じて加速度センサ９から出力される信号から、エアコンプレッサ１Ａの通常の使用で想定される正常な動きによる信号を遮断し、盗難等の不正時の動きによる信号を抽出する動作について説明する。
【００５９】
図５（ａ）、図５（ｂ）は、エアコンプレッサを持ち上げて置く動作における加速度センサの出力の一例を示す説明図で、図５（ａ）は、ローパスフィルタで処理前の信号の波形、図５（ｂ）は、ローパスフィルタで処理後の信号の波形を示す。
【００６０】
また、図６（ａ）、図６（ｂ）は、エアコンプレッサを持ち歩く動作における加速度センサの出力の一例を示す説明図で、図６（ａ）は、ローパスフィルタで処理前の信号の波形、図６（ｂ）は、ローパスフィルタで処理後の信号の波形を示す。
【００６１】
更に、図７（ａ）、図７（ｂ）は、エアコンプレッサの空気取出口にホースを着脱する動作における加速度センサの出力の一例を示す説明図で、図７（ａ）は、ローパスフィルタで処理前の信号の波形、図７（ｂ）は、ローパスフィルタで処理後の信号の波形を示す。
【００６２】
加速度センサ９では、上述したように、エアコンプレッサ１Ａの本体部５を持ち上げる、置く、持ち歩く等による動きが検出され、エアコンプレッサ１Ａが動く際の加速度に応じた信号が電圧値として出力される。
【００６３】
エアコンプレッサ１Ａを持ち上げる、置く、持ち歩くという動作により本体部５にかかる加速度は、モータ３により圧縮部２が駆動されることで発生する振動による加速度に比較して大きく、加速度センサ９から出力される信号の振幅が大きくなる。また、空気取出口４０にホースを着脱する動作でも加速度が大きく、加速度センサ９から出力される信号の振幅が大きくなる。
【００６４】
図５（ａ）に示すように、エアコンプレッサ１Ａを持ち上げるタイミングＴ１で加速度センサ９から出力される振幅の大きな信号は、立ち上がり、下がり時間が遅く、振幅の周期が長い低周波成分として現れる。また、落下させるような取り扱い方により置くタイミングＴ２で加速度センサ９から出力される振幅の大きな信号は、ゆっくりと持ち上げるような場合と比較して衝撃が大きく波形の振幅が大きく、かつ、立ち上がり、下がりが急峻で、振幅の周期が短い高周波成分として現れる。
【００６５】
これに対し、図６（ａ）に示すように、エアコンプレッサ１Ａを持ち歩くタイミングＴ３で加速度センサ９から出力される振幅の大きな信号は、立ち上がり、下がり時間が遅く、振幅の周期が長い低周波成分として現れ、かつ、振幅の大きな信号が連続する。
【００６６】
なお、図７（ａ）に示すように、空気取出口４０に対してホースを着脱するタイミングＴ４で加速度センサ９から出力される振幅の大きな信号は、立ち上がり、下がりが急峻で、振幅の周期が短い高周波成分として現れる。
【００６７】
ローパスフィルタ９０は、図７（ａ）に示すような立ち上がり、下がりが急峻で振幅の周期が短い信号を遮断し、図５（ａ）のタイミングＴ１、図６（ａ）に示すような立ち上がり、下がり時間が遅く振幅の周期が長い信号、図５（ａ）のタイミングＴ２に示すように、立ち上がり、下がりが急峻で、かつ、振幅が大きな信号を通すように、遮断する周波数が設定される。
【００６８】
これにより、図７（ａ）に示すような立ち上がり、下がりが急峻で振幅の周期が短い信号を、ローパスフィルタ９０で処理することで、図７（ｂ）に示すように、振幅の大きな信号が遮断される。これに対し、図５（ａ）、図６（ａ）に示すような立ち上がり、下がり時間が遅く振幅の周期が長い信号、立ち上がり、下がりが急峻で、かつ、振幅が大きな信号を、ローパスフィルタ９０で処理することで、図５（ａ）、図６（ｂ）に示すように、振幅の大きな信号が残る。
【００６９】
従って、エアコンプレッサ１Ａの本体部５の動きに応じて加速度センサ９から出力される信号から、エアコンプレッサ１Ａの通常の使用で想定される正常な動きによる信号を遮断し、盗難等の不正時の動きによる信号を抽出することができる。
【００７０】
次に、エアコンプレッサ１Ａの本体部５の動きに応じて加速度センサ９から出力される信号から、不正の有無を検出する動作について説明する。
【００７１】
図８は、エアコンプレッサの動きに応じて加速度センサから出力される信号から、不正の有無を検出する動作を示す説明図である。上述したセキュリティモードの実行中は、所定のサンプリング周期Ｔ（ｓ）毎に、ローパスフィルタ９０で処理した加速度センサ９の出力値が取得される。
【００７２】
図８では、あるサンプリングポイントＰ１における加速度センサ９からの出力値Ｖ１と、次のサンプリングポイントＰ２における加速度センサ９からの出力値Ｖ２の差分ΔＶが、所定の値Ｖｒｅｆを超えており、サンプリングポイントＰ２で、エアコンプレッサ１Ａの盗難につながるような不正を検出することができる。
【００７３】
図７（ａ）、図７（ｂ）に示すように、エアコンプレッサ１Ａの本体部５の動きに応じて加速度センサ９から出力される信号から、エアコンプレッサ１Ａの通常の使用で想定される正常な動きによる信号が遮断されている。これにより、サンプリングポイント間で差分が所定値を超えるような信号が検出されず、正常な動きを不正な動作として検出することが抑制される。
【００７４】
なお、エアコンプレッサ１Ａが設置されている場所が振動するような場合、加速度センサ９の出力値は、振幅の小さな信号となり、サンプリングポイント間で差分が所定値を超えるような信号が検出されない。また、エアコンプレッサ１Ａに物がぶつかるような外力が加わる場合、加速度センサ９の出力値は、立ち上がり、下がりが急峻で振幅の周期が短い信号となり、ローパスフィルタ９０で遮断できる。
【００７５】
これに対し、図５（ａ）、図５（ｂ）、図６（ａ）、図６（ｂ）に示すように、エアコンプレッサ１Ａの本体部５の動きに応じて加速度センサ９から出力される信号から、盗難等の不正時の動きによる信号が抽出されている。これにより、サンプリングポイント間で差分が所定値を超えるような信号を検出でき、エアコンプレッサ１Ａの盗難につながるような不正を検出することができる。
【００７６】
セキュリティモードでは、制御部７は補助電源７１から供給される電気で作動している。２重層コンデンサで構成される補助電源７１では蓄えられる電気の容量に制約があるので。加速度センサ９の出力値を所定のサンプリング周期毎に取得することで、消費電力を抑制する。但し、サンプリング周期が、エアコンプレッサ１Ａを持ち歩くことによる信号の周期と一致しないように、サンプリング周期が設定される。
【００７７】
なお、サンプリングポイントにおける加速度センサ９からの出力値と、閾値とを比較して、不正な動作を検出することも可能である。但し、加速度センサ９の出力値は、エアコンプレッサ１Ａが傾斜すること等により、同じ持ち上げる動作でも加速度センサ９に加わる力の方向が異なることで変化し、また、加速度センサ９毎のばらつきによっても変化するため、サンプリングポイント間での差分という相対値を使用することで、高精度に不正の有無を検出できる。
【００７８】
次に、セキュリティモードを設定する動作及び解除する動作について説明する。図９は、セキュリティモードを設定する動作の一例を示すフローチャート、図１０は、セキュリティモードを解除する動作の一例を示すフローチャートである。
【００７９】
制御部７は、図９のステップＳＢ１で、セキュリティモード選択ボタン６０ｃが所定の時間長押しされると、図９のステップＳＢ２で設定開始状態となる。セキュリティモードの設定開始状態では、図９のステップＳＢ３で、操作部６の表示部６１ｄに、本例では一桁の数字が認証番号Ｎ１として表示される。図９のステップＳＢ４で、セキュリティモード選択ボタン６０ｃを押す毎に、図９のステップＳＢ５で、認証番号Ｎ１が１ずつ繰り上がり、任意の認証番号Ｎ１が表示部６１ｄに表示される。
【００８０】
所望の認証番号Ｎ１が表示部６１ｄに表示された状態で、図９のステップＳＢ６で、セキュリティモード選択ボタン６０ｃが所定の時間長押しされると、図９のステップＳＢ７で認証番号Ｎ１が確定し、セキュリティモードが選択される。セキュリティモードが選択されると、セキュリティモード選択ランプ６１ｃが点灯し、使用者にセキュリティモードが選択されていることが通知される。
【００８１】
セキュリティモードが選択されると、上述した図４のフローチャートで説明したように、電源の供給の有無でセキュリティモードを実行するか、待機するかが判断され、電源の供給が遮断されると、セキュリティモードが実行される。
【００８２】
制御部７は、図１０のステップＳＣ１で、セキュリティモードの待機状態でセキュリティモード選択ボタン６０ｃが所定の時間長押しされると、図１０のステップＳＣ２で解除開始状態となる。セキュリティモードの解除開始状態では、図１０のステップＳＣ３で、操作部６の表示部６１ｄに、本例では一桁の数字が解除番号Ｎ２として表示される。図１０のステップＳＣ４で、セキュリティモード選択ボタン６０ｃを押す毎に、図１０のステップＳＣ５で、解除番号Ｎ２が１ずつ繰り上がり、任意の解除番号Ｎ２が表示部６１ｄに表示される。
【００８３】
解除番号Ｎ２が表示部６１ｄに表示された状態で、図１０のステップＳＣ６で、セキュリティモード選択ボタン６０ｃが所定の時間長押しされると、図１０のステップＳＣ７で、セキュリティモードの選択時に設定した認証番号Ｎ１と解除番号Ｎ２が比較され、認証番号Ｎ１と解除番号Ｎ２が一致すると、解除番号Ｎ２が認証され、図１０のステップＳＣ８で、セキュリティモードが解除される。セキュリティモードの解除時は、報知部８から所定の解除音が出力される。
【００８４】
セキュリティモードの選択時に設定した認証番号Ｎ１と一致しない解除番号Ｎ２が表示部６１ｄに表示された状態で、セキュリティモード選択ボタン６０ｃが所定の時間長押しされると、解除番号Ｎ２が不認証となり、セキュリティモードが待機状態に戻る。また、図１０のステップＳＣ９で、報知部８から所定の警報音が出力される。
【００８５】
解除番号Ｎ２の誤入力が所定の複数回連続すると、報知部８から所定の警報音を出力し、以降の操作を受け付けないようにロックしても良い。これにより、認証番号Ｎ１を知らない第三者により不正にセキュリティモードが解除されることが抑制され、エアコンプレッサ１Ａの盗難につながる不正な動作を確実に検出できる。
【００８６】
また、正規の使用者であれば、作業中はセキュリティモードを解除することで、作業中の誤検出を抑制することができる。更に、セキュリティモードを選択しても、電源供給中は、セキュリティモードを待機状態とすることで、作業中の誤検出を抑制することができる。
【００８７】
上述したように、セキュリティモードが実行されることで、不正を検出して警報が出力された場合は、電源プラグをコンセントに繋いだだけではセキュリティモードが解除されない。また、セキュリティモード選択ボタン６０ｃによる通常の解除操作を行わないと、警報が止まらない。これにより、警報の出力時に、第三者により不正にセキュリティモードが解除されることが抑制される。
【００８８】
更に、補助電源７１で電気を供給できる時間が限られるため、不正の検知による警報の出力後、一定時間後に警報の出力が停止される。但し、不正があったことを不揮発性のメモリに記憶しておき、不正があったことの情報が記憶されている間は、所定の操作でメモリの記憶をリセットしない限り、エアコンプレッサ１Ａを起動できないようにしても良い。また、不正があったことは、操作部６のランプの点滅等で知らせる。
【００８９】
＜本実施の形態のコンプレッサの変形例＞
本実施の形態のエアコンプレッサ１Ａとしては、エアコンプレッサ１Ａの本体部５の動きを検出する検出手段として加速度センサ９を用いたが、物の動きに応じた出力が行えるものであれば他のセンサでも良く、例えば、衝撃センサ、傾斜センサ等でも良い。また、検出手段として、複数のセンサを備え、複数のセンサの出力を比較することで、不正の検出精度を高めることができる。
【００９０】
例えば、カバー５１に取り付けられた基板７２に第１の加速度センサを備え、本体部５の支持体５０に取り付けられた図示しない駆動制御基板に第２の加速度センサを備える。設置場所が異なることで加速度の加わる方向、大きさが異なる第１の加速度センサと第２の加速度センサでは、検出可能な振動に違いが有るので、運転によって発生する振動を精度良く除去して、確実に不正の検出を行うことができる。また、異なる種類のセンサを複数用いても良い。
【００９１】
また、抽出手段としてローパスフィルタ９０を用いたが、これに限定されるものではない。例えば、エアコンプレッサ１Ａを持ち歩くといった盗難につながる動作では、加速度センサ９から出力される信号は、振幅の大きな信号が連続する特性がある。そこで、振幅の大きな信号を所定の複数回検出することで、盗難等の不正時の動きによる信号を抽出するようにしても良い。更に、想定される不正時の動きによる信号波形を基準値として保存し、加速度センサ９から出力された信号波形と基準となる信号波形の比較により、盗難等の不正時の動きによる信号を抽出するようにしても良い。
【００９２】
また、エアコンプレッサ１Ａに無線による通信手段を備え、不正が検出されたことをスマートフォン等の外部端末装置に送信し、外部端末装置で警報を出力できるようにしても良い。更に、セキュリティモードの設定及び解除を、外部端末装置で行えるようにしても良い。エアコンプレッサ１Ａで警報を出力と同時に外部端末に報知する、外部端末のみに報知する等の設定を可能にしておけば、環境に応じた盗難防止が行える。また、通信手段を制御部７、補助電源７１．加速度センサ９、ローパスフィルタ９０、報知部８等のセキュリティシステムが実装された同一の基板７２に設けておけば、設置が容易になるので、多種の機器へ展開できる。
【００９３】
また、ローパスフィルタ９０での処理の有無を選択可能とし、ローパスフィルタ９０で未処理の加速度センサ９の出力値を利用して、エアコンプレッサ１Ａの運転時の振動等から故障につながるような異常の有無を検出して、履歴としてメモリに保存する、また、異常を報知できるようにしても良い。
【００９４】
＜第２の実施の形態のエアコンプレッサの構成例＞
図１１は、第２の実施の形態のエアコンプレッサの制御系の一例を示す機能ブロック図である。
【００９５】
第２の実施の形態のエアコンプレッサ１Ｂの全体構成は、図２と同じであり、空気を圧縮する圧縮部２と、圧縮部２を駆動するモータ３と、圧縮部２で圧縮される空気を貯蔵するタンク４を備える。
【００９６】
第２の実施の形態のエアコンプレッサ１Ｂの制御機能について説明すると、エアコンプレッサ１Ｂは、図１１に示すように、操作部６での操作、設定に従い、選択された運転モードの実行、セキュリティモードの実行を行う制御部７Ｂと、選択された運転モードに従い、モータ３を駆動する駆動制御部７５を備える。制御部７Ｂは制御手段の一例で、マイクロプロセッサ等で構成される。駆動制御部７５は駆動制御手段の一例で、マイクロプロセッサ、メモリ等で構成される。
【００９７】
エアコンプレッサ１Ｂは、電源検出部７０と、制御部７Ｂを作動させる補助電源７１を備える。エアコンプレッサ１Ｂは、商用電源、発電機等と電源プラグ及びコードを介して接続され、電気の供給を受ける。電源検出部７０は電源検出手段の一例で、電源プラグがコンセントから抜かれる等により、電源が遮断されたことを検出する。
【００９８】
補助電源７１は監視電力供給手段の一例で、例えば２重層コンデンサで構成され、電源プラグがコンセントに接続された状態では、電気の供給を受けて充電される。電源プラグがコンセントから抜かれる等により、電気の供給が遮断された状態になると、駆動制御部７５への電気の供給が遮断され、制御部７Ｂのみを作動させる電気を供給することで電気の消費を抑制し、補助電源７１の長時間使用を可能にする。エアコンプレッサ１Ｂを持ち出す際には、電源プラグをコンセントから抜かなければならないため、セキュリティモードは補助電源によって作動するように構成される。
【００９９】
セキュリティモードは、操作部６での操作で実行の有無が選択される。また、操作手段として機械的な鍵を備え、鍵の操作でセキュリティモード実行の有無が選択されても良い。
【０１００】
また、エアコンプレッサ１Ｂは、音を出力する報知部８と、報知部８で出力される音量を切り替える音量切替部８０を備える。報知部８は報知手段の一例で、例えばビープ音を出力するブザーで構成される。音量切替部８０は、例えば、報知部８に供給する電圧を昇降させる昇圧回路で構成され、報知部８から出力される音を切り替える。
【０１０１】
報知部８は、電源ボタン６０ａの操作時等の通常時は、第１の音として第１の音量である通常音量でブザー音を出力する。なお、通常音量は無音でも良く、通常音量として第１の音量で音を出力するか、無音とするかを切り替えることができる。これに対し、報知部８は、制御部７Ｂが所定の異常、不正が発生したことを検知して音量切替部８０を制御すると、第２の音として第１の音量より大きな第２の音量である警報音量で警報としてブザー音を出力することで、異常、不正が発生したことを検知した場合には、他の通知時と音を異ならせる。また、異常、不正が発生したことを検知した場合には、報知部８の駆動周波数を変調して、第２の音として人が不快と感じる音質、または緊急性を感じるような音質でブザー音を出力しても良い。
【０１０２】
＜第２の実施の形態のエアコンプレッサの動作例＞
次に、第２の実施の形態のエアコンプレッサ１Ｂの動作例について、各図を参照して説明する。エアコンプレッサ１Ｂで圧縮空気を貯蔵する通常の動作では、制御部７Ｂは、操作部６で設定された運転モードに従いモータ３を制御して、タンク４に圧縮空気を貯蔵する。
【０１０３】
タンク４内の圧力が所定値となると、モータ３の駆動を停止する。また、圧縮空気の使用でタンク４内の圧力が低下すると、モータ３を駆動し、タンク４内の圧力を所定の範囲に保つ。
【０１０４】
図１２は、セキュリティモードの他の例を示すフローチャートであり、次に、第２の実施の形態のエアコンプレッサ１Ｂで実行されるセキュリティモードの動作について説明する。
【０１０５】
制御部７Ｂは、図１２のステップＳＤ１で、操作部６の図３に示すセキュリティモード選択ボタン６０ｃ等の所定の操作によってセキュリティモードが選択されると、ステップＳＤ２でセキュリティモードを実行する。制御部７Ｂは、セキュリティモードの実行中、ステップＳＤ３で、電源の供給の有無を電源検出部７０で監視する。
【０１０６】
制御部７Ｂは、セキュリティモードの実行中に、電源の供給が停止したことを電源検出部７０で検出したと判断すると、コンセントから電源プラグが抜かれた状態で、エアコンプレッサ１Ｂを持ち歩ける状態であるので、盗難につながるような不正であると判断して、ステップＳＤ４で、報知部８を駆動して警報音を出力する。また、過電流が流れること等により遮断器が作動することによる電源の遮断や、他の作業者がコードを引っ掛ける等してコンセントから電源プラグが抜けてしまう等、コンプレッサ１Ｂを使用している作業者が予測しないような異常が発生したことを作業者に報知することもできる。このような異常時や不正時では、制御部７Ｂは、音量切替部８０を制御して、通常音量より大きい警報音量で警報音を出力させる。
【０１０７】
エアコンプレッサ１Ｂは、電源プラグがコンセントから抜かれる等により、電気の供給が遮断された状態になると、補助電源７１から制御部７Ｂに電気が供給されることで、制御部７Ｂは、電源の供給の有無の判断、電源の供給の有無の判断に基づく警報の出力が可能である。
【０１０８】
制御部７Ｂは、セキュリティモードの実行中に、電源の供給が停止したことを電源検出部７０で検出している間は、警報音の出力を継続し、かつ、ステップＳＤ５で、電源の供給の有無を電源検出部７０で監視する。制御部７Ｂは、セキュリティモードの実行中で、かつ、警報音の出力中に、電源が供給されたことを電源検出部７０で検出したと判断すると、ステップＳＤ６で、報知部８の駆動を停止し、警報音の出力を停止する。
【０１０９】
制御部７Ｂは、セキュリティモードの実行中、ステップＳＤ７で、セキュリティモード選択ボタン６０ｃ等の所定の操作によってセキュリティモードが解除されたか否か判断し、セキュリティモードが解除されたと判断すると、セキュリティモードの実行を停止する。
【０１１０】
なお、正規の所有者がセキュリティモードの実行中にコンセントから電源プラグを抜いた場合、正規の所有者であれば、セキュリティモードを解除できることから、セキュリティモードの実行中に、電源の供給が停止したことを電源検出部７０で検出している間に、セキュリティモード選択ボタン６０ｃ等の所定の操作によってセキュリティモードが解除されたか否か判断し、セキュリティモードが解除されたと判断すると、セキュリティモードの実行を停止し、警報音の出力を停止するようにしても良い。
【０１１１】
また、電源検出部７０での電気の供給の有無でセキュリティモード実行の有無が選択されても良く、作業者がセキュリティモードの実行の有無を設定することなく、制御部７Ｂは、電源プラグがコンセントに接続され、電気の供給が行われていることを電源検出部７０で検出すると、セキュリティモードを非実行とし、電源プラグがコンセントから抜かれ、電気の供給が遮断されたことを電源検出部７０で検出すると、セキュリティモードを実行し、報知部８を駆動して警報音を出力するようにしても良い。なお、セキュリティーモードを備えずに、電気の供給が遮断されたことを電源検出部７０で検出すると、報知部８を駆動して警報音を出力するようにして、電気の供給の有無によって報知の有無が選択されるようにしても良い。
【０１１２】
また、エアコンプレッサ１Ｂに無線による通信手段を備え、電気の供給が遮断されたことを電源検出部７０で検出することで不正や異常が検出されたことを、外部端末であるスマートフォン等の外部端末装置に送信し、外部端末装置を報知手段として警報を出力できるようにしても良い。更に、セキュリティモードの設定及び解除を、外部端末装置で行えるようにしても良い。エアコンプレッサ１Ｂで警報を出力と同時に外部端末に報知する、外部端末のみに報知する等の設定を可能にしておけば、環境に応じた盗難防止が行える。また、異常によりエアコンプレッサ１Ｂが停止した場合、これを把握できるので、エア不足が発生する前に再起動等の対応を行うことができる。
【０１１３】
更に、加速度センサ９等の検出手段と、ローパスフィルタ９０等の抽出手段をエアコンプレッサ１Ｂに備え、セキュリティモード選択ボタン６０ｃ等の所定の操作により、セキュリティモードにおいて、加速度センサ９及びローパスフィルタ９０により本体部５の動きを検出することで、警報を出力するか、電源検出部７０により電気の供給が遮断されたことを検出することで、警報を出力するかを切り替えられるようにしても良い。
【産業上の利用可能性】
【０１１４】
本発明は、圧縮空気で作動する工具に圧縮空気を供給するエアコンプレッサに適用される。
【符号の説明】
【０１１５】
１Ａ、１Ｂ・・・エアコンプレッサ、２・・・圧縮部（圧縮手段）、３・・・モータ（駆動手段）、４・・・タンク（貯蔵手段）、４０・・・空気取出口、５・・・本体部、５０・・・支持体、５１・・・カバー、６・・・操作部（操作手段）、６０ａ・・・電源ボタン、６０ｂ・・・運転モード選択ボタン、６０ｃ・・・セキュリティモード選択ボタン、６１ａ・・・電源ランプ、６１ｂ・・・運転モード選択ランプ、６１ｃ・・・セキュリティモード選択ランプ、６１ｄ・・・表示部、７、７Ｂ・・・制御部（制御手段）、７０・・・電源検出部（電源検出手段）、７１・・・補助電源（監視電力供給手段）、７２・・・基板、７５・・・駆動制御部（駆動制御手段）、８・・・報知部（報知手段）、８０・・・音量切替部、９・・・加速度センサ（検出手段）、９０・・・ローパスフィルタ（抽出手段）
【図１】
2018168850.tif 000003
【図２】
2018168850.tif 000004
【図３】
2018168850.tif 000005
【図４】
2018168850.tif 000006
【図５】
2018168850.tif 000007
【図６】
2018168850.tif 000008
【図７】
2018168850.tif 000009
【図８】
2018168850.tif 000010
【図９】
2018168850.tif 000011
【図１０】
2018168850.tif 000012
【図１１】
2018168850.tif 000013
【図１２】
2018168850.tif 000014